(57)【特許請求の範囲】
【請求項１】
温度が制御された環境にある照明システムを制御する方法であって、
当該照明システムの出力により生じた前記温度制御された環境における温度応答を、センサによって検出するステップと、
前記検出した温度応答に基づいて、所定の温度閾値の範囲内に温度が維持されるように、前記照明システムの出力を調整するステップと、を有する、方法。
【請求項２】
前記温度応答の遅延を決定するステップを含む、請求項１に記載の方法。
【請求項３】
前記出力が、照明パラメータの第1の値と照明パラメータの第2の値との間の変化を伴うことを特徴とする、請求項１に記載の方法。
【請求項４】
前記出力が、所定の時間間隔によって隔てられている少なくとも第1の変化及び第2の変化を伴うことを特徴とする、請求項３に記載の方法。
【請求項５】
温度が制御された環境にある照明システムを制御する方法であって、
当該照明システムの出力により生じた前記温度制御された環境における温度応答を、センサによって検出するステップと、
前記検出した温度応答に基づいて前記照明システムの出力を調整するステップと、を有し、
前記温度応答が少なくとも第1の温度値及び第2の温度値の温度特性を有し、当該少なくとも第1の温度値及び第2の温度値は、少なくとも第1の時間値及び第2の時間値に関連しており、前記方法が、前記少なくとも第1の時間値と第2の時間値との間の温度特性を分析するステップを含むことを特徴とする、方法。
【請求項６】
前記温度制御が、温度を少なくとも第1の閾値以内に維持するよう関与することを特徴とする、請求項１に記載の方法。
【請求項７】
適応的な温度制御が、臨界減衰制御アルゴリズム、過減衰制御アルゴリズム又は当該アルゴリズムの何らかの組合せを伴うことを特徴とする、請求項１に記載の方法。
【請求項８】
複数の値が、後で行われる読取りのために記録されることを特徴とする、請求項１に記載の方法。
【請求項９】
温度閾値を超えた場合に、前記複数の値が記録されることを特徴とする、請求項８に記載の方法。
【請求項１０】
照明システムをもつ温度が制御された環境用の制御システムであって、
当該システムは、温度制御された環境にあるケースの近くにあり且つ前記照明システムを制御するよう適応されたセンサを有し、前記照明システムの出力により生じた前記温度制御された環境における温度応答を、前記センサによって検出し、
前記検出した温度応答に基づいて、所定の温度閾値の範囲内に温度が維持されるように、前記照明システムの出力を調節する、制御システム。
【請求項１１】
前記ケースが、温度制御された環境に晒されている棚を有し、前記センサが、熱伝導的に当該棚と連通していることを特徴とする、請求項１０に記載の制御システム。
【請求項１２】
前記センサが、前記照明システムから所定の閾値距離内に取り付けられていることを特徴とする、請求項１０に記載の制御システム。
【請求項１３】
前記照明システムが、少なくとも1つの発光ダイオードをもつ少なくとも1つの光源を有することを特徴とする、請求項１０に記載の制御システム。
【請求項１４】
後で行われる読取りのために、複数の値が記録されるメモリを更に有する、請求項１０に記載の制御システム。
【請求項１５】
温度閾値を超えた場合に、メモリユニットが前記複数の値を記録することができる、請求項１４に記載の制御システム。
【発明の詳細な説明】
【技術分野】
【０００１】
本発明は、温度が制御された環境にある照明システムを制御するための方法に関する。本発明は更に、照明システムをもち且つ温度が制御された環境用の制御システムに関する。
【背景技術】
【０００２】
今日、スーパーマーケットでは、マルチ・デッキの冷却器が様々な新鮮なパック詰めの食品を陳列するために使われている。特に最大許容温度を超えた場合、これらの食品は通常非常に腐りやすく、非常に急速に悪くなる。多くの国において、最大許容温度よりも高い温度で保存されたこれらの製品はもはや販売されてはならないとか、又は賞味期限が減じられねばならないとの法律がある。賞味期限はパッケージに事前印刷されており、容易に変更ができないので、後者はしばしば容易ではない。通常の状況下では、斯様な製品を陳列するために使われるマルチ・デッキの冷却器は温度が保証されていることを確約している。しかしながら、冷却器が適切に食品を詰められてはいない（あまりに多くの食品が冷却器内にある）場合、気流が妨げられ、棚の下のランプによって発生した熱が棚の温度を最大許容温度以上にしてしまうだろう。この問題は、最大温度を超えた結果として食品が悪くなった場合、又は例えば、食品・医薬品局（米）、食品規格庁（英）、又は「食品及び商品機関」（蘭）からクレームがあった場合に法的に責任があると看做されるかも知れないので、スーパーマーケットが棚の下に照明を置くことをためらわせる。
【０００３】
米国特許公開公報US 2007087614 A2は、照明された陳列ケース用の制御システムを開示しており、当該陳列ケースは、同陳列ケースの光源へと供給されている電源を調整するためのスイッチ又はコントローラとして使われるセンサを含んでいる。更に、制御スキームの実装例が開示されており、陳列ケース内部の温度が予め定められた温度を超えたことをセンサが検出した場合、光源への電圧が閉じられる。陳列ケース内部の温度が許容レベルへと戻った場合、光源は電力を提供される。
【発明の開示】
【発明が解決しようとする課題】
【０００４】
従来からある照明された陳列ケースでは、しばしば周囲条件が変化するので、温度がオーバーシュートする危険がある。これ故、改善された照明の制御に対する必要性がある。
【０００５】
以上の観点から、温度が制御された環境内にある照明システムを制御するための方法を提供することが望ましい。照明システムをもち且つ温度が制御された環境に対する制御システムを提供することも望まれる。これらの目的及び他の目的が、本発明による方法及び製品により達成される。
【課題を解決するための手段】
【０００６】
本発明の第1の態様によれば、温度制御された環境にある照明システムを制御するための方法が提供されている。照明システムの出力によって、温度制御された環境に温度応答が生じ、当該温度応答はセンサにより検出される。照明システムの出力と、同出力に関連して生じる（付随する）温度応答とに基づいて温度が最適に調整される。照明システムの出力及び温度応答に応じた最適な調整は、変化する周囲のファクタを伴う条件下で特に、高い精度の温度制御が実現される結果となる。温度制御された環境の温度応答に影響するだろう複数の周囲のファクタがある。例えば、温度制御されている環境と接触している、冷やすか又は暖める目的をもった品目の量である。更に、品目の熱特性を封入する、又は温度制御された環境若しくは温度制御された環境と接触している何らかの他のエレメントを封入する何らかの陳列ケースの熱特性が、照明システムの出力によって生じた温度応答、及び斯様な品目又はエレメントの場所によって生じた温度応答にも影響することであろう。照明システムの出力は照明強度でもよいし、若しくは照明システムの消費電力でもよいし、又は照明出力を規定している何らかの他のパラメータでもよく、照明出力と相関があってもよい。温度応答が、照明システムの出力を伴う温度変化として解釈されてもよい。照明システムによって発生した熱量は、当該照明システムにより消費された電力の量と直接の相関があり、当該熱量は照明システムの熱負荷と直接の相関がある。これ故、照明システムの出力を変化させることによって、温度応答が直接影響されることがある。
【０００７】
本発明の実施例においては、温度応答の遅延が定められる。当該遅延は、照明システムの第1の出力に付随する第1の温度値と、照明システムの第2の出力に付随する第2の温度との間の漸進的な変化として解釈される。温度制御された環境内の温度応答の遅延を決定することによって、室温を含む周囲のファクタのトータルな効果が定量化される。この結果、周囲のファクタによって生じる後で起こる温度変化に配慮するために、照明システムの出力の修正が予測されてもよい。
【０００８】
本発明の実施例では、出力は第1の照明パラメータの値と第2の照明パラメータの値との間の変化に関わっており、この変化によって出力を変化させる。第1の照明パラメータの値と第2の照明パラメータの値との間の出力に変化があることによって、第1の照明パラメータの値と第2の照明パラメータの値とが変化したときの温度応答の遅れが決定されることができる。好都合にも、第1の照明パラメータの値と第2の照明パラメータの値との間の変化は、肉眼にとっては知覚できない限度の範囲内である。
【０００９】
本発明の実施例では、照明システムの出力は、所定の時間間隔によって隔てられた少なくとも第1の変化と第2の変化とに関わっている。出力が変化した時刻毎の温度応答の遅れを連続的に判定するために、第1の照明パラメータと第2の照明パラメータとの間の変化が反復シーケンスで生じてもよい。これは好都合である、というのは周囲条件、従って温度応答は、全制御期間にわたって変化を受けるかも知れないからである。変化が起きた各時刻の間の時間間隔が、周囲のファクタの変化の回数の頻度を反映するよう選ばれてもよい。
【００１０】
本発明の実施例では、少なくとも第1の温度値及び第2の温度値の温度特性を温度応答が有していてもよく、当該少なくとも第1の温度値及び第2の温度値は、少なくとも第1の時間値及び第2の時間値に関連しており、遅延を決定するステップは、温度遅延、温度遅延の微分値、及びエリアに基づいて、又は何らかのこれらの組み合わせに基づいて、少なくとも第1の時間値及び第2の時間値との間の温度特性を分析するステップを含む。
【００１１】
照明システムの出力によって生じた温度応答が、温度制御された環境において少なくとも第1の温度値及び第2の温度値の間の変化を生じさせてもよい。当該温度応答は、照明システムの出力が変化した時刻から経過した時間の関数である一連の温度値として解釈されてもよく、各々の温度値が1つの時間値に付随している。温度値及び時間値の各々が一連の応答の温度特性を生成し、照明出力が変化した時刻からの遅延を記述している。周囲条件を総計したものが一意的な一連の温度特性を生成する。温度特性の温度遅延、同微分値、エリア、ピークの遅延、又はピークの継続期間を決定することから得られる結果は、制御システムの正確な制御パラメータが決定され、新たな周囲条件に従って変更されるということである。後続の温度変化が起こるにつれて、正確な温度調節を実現するための最適な制御パラメータから、照明システムの出力が予測されることができる。温度遅延は、温度変化が閾値の間隔内にある温度特性の一部として解釈される。周囲のファクタは温度遅延の程度に影響する。これ故、温度遅延を定めることによって周囲のファクタが考慮される。
【００１２】
本発明の実施例では温度制御は、温度を少なくとも第1の閾値以内に維持することに関与する。上側の閾値及び下側の閾値の両方の温度閾値が規定されてもよい。照明システムの出力を制御することによって、温度閾値の範囲内に温度が維持される。
【００１３】
本発明の実施例では最適な温度制御は、精確に冷やす若しくは過剰に冷やす制御アルゴリズム、又はこれらの何らかの組み合わせを含んでいる。照明システムの出力の制御において、制御システムが精確に冷やす場合、これは好都合である。というのは温度応答のオーバーシュートがないことを意味するからである。全ての周囲のファクタは温度制御された環境、したがって制御システムに個々に影響を及ぼす。室温のような幾つかの変数はかなりゆっくり変化する一方、全ての入力変数が一緒に顕著な変化を生じる場合があり、補正されねばならない。急速に変化を起こす変動は、異なる熱特性のエレメントが温度制御された環境に加えられた時、例えば冷却器に補充された時である。何故ならば冷却器内の物量がかなり短時間の間に劇的に変化するからである。物量の増大はシステムのより遅い応答を意味し、これ故システムは当該プロセスの間、過剰に冷やされる。段階的に品目を取り除くことが、システムを控えめに冷却するよう動かす。例えば、温度制御された環境から品目が取り除かれたことにとって生じる周囲条件の軽微な揺らぎが温度閾値を超えることがないよう、制御システムは僅かに過剰に冷却してもよい。最適な温度調節が温度閾値以内で充分な制御を提供するであろう周囲条件の範囲を限定するので、実質的な過冷却は回避される。過冷却するシステムによる温度調節は、精確に冷却する制御システムによる温度調節よりもゆっくりであってもよい。
【００１４】
本発明の実施例では、後で行われる読取りのために、複数の値が記録されることができる。本発明の実施例では、温度閾値を超えた場合に値が記録されることができる。上側の温度閾値又は下側の温度閾値を超えた場合に値を記憶することによって、温度を超える斯様な出来事(イベント）に対する条件を決定することが、顧みると可能である。
【００１５】
本発明の実施例では、当該複数の値は、温度、時間、日付、又は何らかのこれらの組み合わせでもよい。温度閾値を超えた場合はいつでも日時が記憶されるので、温度の経緯を読み出し、温度がいつ超えたかについて決定することが可能である。後者は、適切な性能を証明するため、及び食品が所望の温度に保たれていたことを証明するための証拠として使うことができる。
【００１６】
本発明の実施例では、記録された値は暗号化されてもよい。記録された値を暗号化することによって当該値の何らかの不正な修正が防止される。暗号化方式がデジタル暗号化鍵の使用を含んでもよい。温度制御された環境が法律規制を受ける場合、これは重要である。例えば当該値が、いつ温度閾値を超えたかについて表わしている場合、値の暗号化は法律が守られているのを確実にすることを可能にする。
【００１７】
本発明の実施例では、記録された値を、読取りのために解読することができる。値を読み出すために暗号解読を必要とするので、認可された読取りのみが考え得る。読み取られた値は、安全なデータネットワークを通じたデータリンクなどの安全なリンクを通じて伝達される。温度、日時の暗号化された値が安全なデータリンクを通じて、又は暗号解読鍵にアクセスをもつ解読デバイスによって暗号化されることができるので、複数の温度制御された環境がモニタされることができる。
【００１８】
本発明の第2の態様によれば、照明システムをもち且つ温度制御された環境用の、制御システムの形態をもつ装置が提供される。当該装置は、温度制御された環境の陳列ケースの近くにあり且つ照明システムを制御するよう適応されたセンサを有し、照明システムの出力が、温度制御された環境の温度応答を生じさせる。当該温度応答が前記センサにより検出される。制御システムは、照明システムの出力及び付随する温度応答に基づいて温度を最適に調節するよう適応されている。
【００１９】
本発明の実施例では、陳列ケースは、温度制御された環境に晒されている棚を有してもよく、前記センサは、当該棚と熱伝導に関して通信状態にある。温度制御された環境と接触している棚又は他の何らかのエレメントと伝導性のある熱的接触をもつことによって、改善された温度調節を生じる温度応答が正確に決定されることができる。
【００２０】
本発明の実施例では、照明システムから予め定められた閾値距離の範囲内にセンサが取り付けられる。当該センサが照明システムからあまりに遠くに取り付けられた場合、温度応答が当該品目又はエレメントの近くで定められないので、照明システムにより近い品目又はエレメントは、温度閾値を超えた温度に晒される。閾値距離の外側の温度が閾値以内に維持される場所に閾値距離が規定される。
【００２１】
本発明の実施例では照明システムは、少なくとも1個の発光ダイオードをもつ少なくとも1つの光源を有する。異なるタイプの光源が当該照明システムに使われても良い。熱を伝導する何らかの光源が、光を発する発光ダイオードのような光源よりもむしろ好都合である。
【００２２】
本発明の実施例では制御システムは、後で行われる読取りのために複数の値が記録されるメモリを有する。
【００２３】
本発明の実施例では、温度閾値を超えた場合にメモリユニットは値を記録することができる。
【００２４】
本発明の実施例では、当該値は、温度、時間、日付、又は何らかのこれらの組み合わせでもよい。
【００２５】
本発明の実施例では、制御システムは、記録された値の暗号化のための暗号化モジュールを有する。
【００２６】
本発明の実施例では、制御システムは、記録された値の解読のための解読モジュールを有する。
【００２７】
概して、第2の態様は第1の態様と同じ長所をもっている。
【００２８】
第2の態様の特徴が第1の態様中にもあり、第1の態様の特徴が第2の態様中にもあることができる。
【００２９】
本発明のこれらの態様及び他の態様が、これ以降説明されている実施例から明らかであり、当該実施例を引用して解明されることであろう。概して、請求項において使われている全ての用語は、本願明細書において明確に別途規定されていない限り、これらの用語の技術分野の通常の意味に従って解釈されるべきである。「a／an／the／saidに続くエレメント、デバイス、コンポーネント、手段、ステップ等、」に対する全ての引用は、別途明確に言及されていない限り、前記エレメント、デバイス、コンポーネント、手段、ステップ等の少なくとも1つの例を引用しているものとして、広く解釈されるべきである。本願明細書において開示されたいかなる方法のステップも、明確に言及されていない限り、開示された正確な順序で実行される必要はない。
【００３０】
本発明の他の特徴及び長所が、添付の図面の引用と共に、以下の好ましい本実施例の詳細な説明から明らかになることであろう。
【図面の簡単な説明】
【００３１】
【図１】照明システムを制御するための、本発明による制御システムの例を示す。
【図２】照明システムの出力及び付随する温度応答の例を示す。
【図３】照明システムの出力及び付随する温度応答に基づいて照明システムを制御する例を示す。
【図４】照明システムの出力及び付随する温度応答に基づいて照明システムを制御する別の例を示す。
【発明を実施するための形態】
【００３２】
本発明は、これ以降、本発明の特定の実施例が示されている添付の図面を引用して、より完全に説明されることであろう。しかしながら、本発明は多くの異なる形態で実施されてもよく、本願明細書に記載されている実施例に限定されるものとして解釈されてはならず、むしろ、この開示が詳細且つ完全であり、本発明の範囲を当業者に全て伝えるよう、これらの実施例は例の態様にて提供されている。同じ数値は、全体を通じて同じエレメントを指し示す。
【００３３】
概して本発明は、温度制御された環境にある照明システムを制御する方法に関し、
更に、照明システムをもっている斯様な環境用の制御システムに関する。
【００３４】
本発明の一実施例の概観図が図1に示されており、照明システム103への電力を制御するためのドライバ104と温度センサ102とに接続しているCPU 101を有する制御システム100を示す。CPU 101はドライバ104へとパルス幅変調信号（PWM）などの制御信号を送り、当該信号は、光の強度を増減させるなど、ドライバ104に照明システム103の出力を変化させる。本照明システム103は、光を温度制御された環境105へと提供するためのLEDモジュール又は他の何らかの手段を有する。センサ102が、温度制御された環境105の近くに取り付けられており、当該センサは温度制御された環境105を囲んでいる陳列ケース109の近くにあってもよい。照明システム103の出力は、センサ102により検出された温度制御された環境105に温度応答を生じさせる。照明システム103の出力は、周囲の温度の増減を生じさせる照明システムからの光の強度、光の波長、又は何らかの他の出力として解釈される。CPU 101は照明システム103の出力を制御し、温度応答を表わしているセンサ102から、出力と関連する温度データを受信する。温度応答は、温度制御された環境105にある周囲のファクタに対して一意的なものである。ドライバ104へと送られる制御信号は、出力及び付随する応答に基づいて適応される。周囲の温度が調整されるよう、照明システム103の出力が適応された制御信号に従って調整される。
【００３５】
センサ102は、陳列ケース109の一部でもある棚110など、温度制御された環境105に晒されている何らかのエレメントと熱に関する通信106をしている。熱に関する通信が熱伝導性である場合、センサ102と棚110との間の良好な熱伝達が確約される。当該棚110は、温度制御された環境105に晒されている他の品目を担持するか、又は同品目と熱的な接触状態にある。熱接続は、照明システム103の出力によって生じた温度応答に影響を及ぼすことであろう。
【００３６】
温度応答は、照明システム103と温度センサ102との間の距離によっても影響を受けることであろう。センサ102は、熱源と当該センサ102との間の良好な結合を得るために、及び、温度に敏感なエレメントがセンサ102よりも熱源により近いところにあり、これにより当該センサ102によって検知された温度とは異なる温度になることを回避するために、照明システム103又は熱源から閾値距離の範囲内に取り付けられている。特定の閾値距離が必要となる場合、キャリブレーションを行い、斯様な温度差に配慮することが考え得る。
【００３７】
照明システム103が少なくとも1個の発光ダイオードをもつ複数の光源を有する場合、各光源又はLEDが、対応するセンサ102を備えてもよい。各々の光源又はLEDの出力がしかるべく制御され、各々の光源又はLEDの場所の周囲で温度が調整されることができる。制御システム100は、CPU101及び温度センサ102へと接続されたメモリ107を有している。当該メモリ107は、CPU101により入力されたデータ又は値を記録する。（記録等の）イベントが起こった時刻が実時間クロック 112から読み出される。実時間クロック 112は、電源が切られたときでさえ時刻が維持されることを確約するために、バッテリのバックアップを付けている。記憶された値は、後で行われる温度制御された環境105の状況分析において読み出されることができる。温度閾値を超えた場合など、特別に選択されたイベントが発生すると、メモリは値を記録する。温度が上側の閾値を超えたか、又は下側の閾値を超えたかの何れかの場合、メモリ107は値を記録する。記録される値は、温度、時間、日付、強度、波長などの照明パラメータでもよく、又は駆動電流、電力、若しくは駆動制御信号でもよく、さもなければ照明システムを制御するための、又は温度制御された環境の状況を説明している何らかの他のパラメータでもよい。制御システム100は、メモリ107に記録された値の暗号化のための暗号化モジュール111と、暗号化された値の暗号解読のための解読モジュール111とを有している。制御システム100は、温度などのパラメータが特定の温度閾値を超えたことを示すためのLED若しくは何らかの光学的、音響的、又は電気的な通知信号などを発する通知モジュール108を有する。
【００３８】
図2は、制御システム100による最適温度調節用の照明システムの出力201及び付随する温度応答202の一例を時間tの関数として示す。照明システムの影響なしで検出された基準温度204が、ゼロ出力203に対応する。第1の温度応答206は、初期の照明パラメータの値に対応する照明システムの第1の出力205の結果である。照明パラメータは、照明システムに供給される電流又は電圧でもよく、当該照明システムにより発された光強度、電力消費若しくは熱エネルギ、光の波長、又は照明システムの周囲の温度及び環境に影響を及ぼしている何らかの他のパラメータを規定しているものとして解釈される。
【００３９】
照明パラメータが第1の値208から第2の値209へと変化することは、温度が第1の温度値215から第2の温度値216へと変化するので温度応答を生じさせる。応答の遅延207が決定されることができる。当該遅延は、温度制御された環境に晒された場合にエレメントを異なる速度で加熱又は冷却させるであろう温度センサと照明システムとの間のスペースに影響を与える、異なる熱特性をもつエレメントなどの周囲のファクタの結果である。時刻210での照明パラメータの第1の値208から第2の値209への変化、例えば光強度の10％の変化は、肉眼で知覚できない差の範囲内である。従って光の明滅が回避される。照明パラメータの第1の値208は、第2の値209よりも高くても又は低くてもよい。図2において、第2の値209のレベルから第1の値208のレベルへと行った時に出力が変更された場合、第2の温度応答が生成され、応答の遅延が再び決定される。出力が再び変更される時刻211は、第2の温度値216の検出の時刻に対応し、温度変化は規定された閾値の差の範囲内にある。温度が斯様な閾値の差の内側にあることによって著しく変化しないので、温度が第1の温度値215から第2の温度値216へと変化したところで応答が規定されてもよく、出力変化の新たな時刻が起動される。
【００４０】
温度応答は、少なくとも第1の温度値215及び第2の温度値216の温度特性を有し、当該少なくとも第1の温度値215及び第2の温度値216は、少なくとも第1の時間値210及び第2の時間値211に付随している。温度応答は、時刻210での出力パラメータの変化の瞬間から経過した時間の関数として、一連の温度値の温度特性を有してもよい。温度値及び時間値の各々が、一連の応答の温度特性を生成し、照明出力が変化した時刻からの遅延を記述している。遅延207の決定は、温度遅延217、同微分値、エリア、ピークの遅延、及びピーク継続期間など、付随する時間値に対する温度特性を分析するステップを含んでもよい。
【００４１】
照明パラメータの第1の値208と第2の値209との間の第1の変化、及び照明パラメータの第3の値220と第4の値221との間の第2の変化を隔てている時間間隔214で、出力の変更が繰り返される。時刻212での出力の第2の変更は、第1の温度値222と第2の温度値223との間に温度応答及び付随する遅延219を生じさせる。当該遅延219は、周囲のファクタの変化に起因する遅延207とは異なってもよい。温度遅延217又は温度遅延218は、したがって、温度遅延224とは異なってもよい。図1の実施例による制御システム100は、後続する時間を通じて温度を調整するために、照明システムの出力を新たな、付随する遅延を伴う温度応答に適応させる。このことが図3に対して、以下に説明されるであろう。
【００４２】
図3は、照明システムの出力及び付随する温度応答に基づいて照明システムを制御する一例を示す。周囲のファクタが基準温度301の変化を導き、全体の温度に対する照明システムの貢献度が減じられる。全体の温度値302は、センサで検出される温度であり、照明システムによる温度への貢献度303が規定される。閾値である温度値304が更に規定される。図2の実施例に従って決定された温度応答及び付随する遅延が、最適な閾値308が規定されるよう、周囲のファクタによって生じた温度応答を予測するために使われることができる。当該最適な閾値308にて、照明システムの出力が第1の時刻305と第2の時刻307との間の時間に変更される。図3では、第1の照明パラメータから第2の照明パラメータへの変化に対応する第1の時刻305と第2の時刻307との間の出力の減少に起因して照明システムの貢献度が減じられるので、最適な照明出力を伴っていない温度313が、減じられた温度306へと変化している。減じられた温度306が温度閾値304を超えることはない。温度を温度閾値以下に調整するために、出力の変更が、図2の実施例によって温度応答及び付随する遅延から決定された照明パラメータ値の種々異なる範囲を含んでいてもよい。
【００４３】
最適な温度調節は、精確に冷却されるか又は過度に冷却される。例えば温度応答及び付随する遅延が、制御システム100の、精確に冷却されるか又は過度に冷却されるPID制御アルゴリズムへと入力されてもよい。
【００４４】
第2の時刻307と第3の時刻309との間の時間内に、周囲のファクタが変化したかも知れない。何らかの周囲のファクタの変化の後に決定された、図2の実施例による温度応答及び付随する遅延219が、図3に描かれたシナリオにおける新しい周囲のファクタによって生じた温度応答を予測するために使用され、新たな最適な閾値311が規定される。最適な閾値311は、制御システム100が照明システムの出力を適応させ始める閾値として解釈される。温度閾値304を超えるのを回避することが必要である場合、特に基準温度301が温度閾値304の近辺に維持される場合、出力が、時刻ゼロから制御期間を通じて連続して適応されることも可能である。照明システムの出力が第3の時刻309と第4の時刻310との間の時間内に変更され、付随する温度応答の減じられた温度312が閾値温度304以下に維持されることができる。制御システム100が、温度遅延、同微分値、ピークのエリア、ピークの期間、及びピークの遅延、又は他の何らかの温度応答の特性を解析することを含んだ遅延を決定する時間間隔は、周囲のファクタが変化する時間間隔に対応していてもよい。
【００４５】
図4は、照明システム及び付随する温度応答の出力に基づいて当該照明システムを制御する別の実施例を示す。照明システムの出力が第1の時刻405と第2の時刻407との間の時間内に変更されたので、全体の温度402が減じられた温度406へと変化している。減じられた温度406は温度閾値404内に維持されている。第2の時刻407と第3の時刻409との間に周囲のファクタが温度を上昇させ、照明システムの出力が制御システムにより低下されるので、減じられた温度408が検出される。しかしながら外部の状況に起因して、基準温度401が、照明システムの影響もなく温度閾値404を超える。法的な根拠を伴う温度制限が起きそうな場合、閾値を超えたというイベントに対する日付及び時間が制御システムのメモリに記録され且つ暗号化される。この場合読出しは、記憶された値の暗号解読を必要とすることであろう。
【００４６】
本発明の特定の実施例に関連して本発明が説明されたにもかかわらず、様々な修正、変更、及び改作が請求された範囲を逸脱することなく当業者により成され得ることを理解されたい。
【図１】
0005600681.tif 000002
【図２】
0005600681.tif 000003
【図３】
0005600681.tif 000004
【図４】
0005600681.tif 000005